(57)【特許請求の範囲】
【請求項１】
把手に入力される操作力を回転軸を含む伝達系を介してラッチに伝えることで当該ラッチを解除可能とするラッチ機構がそれぞれ設けられるとともに複数段に配置される引出に対して適用されるものであって、
各引出の鏡板に設けられて鏡板に存する把手又は回転軸を直接若しくは間接に拘束し或いは鏡板に存する伝達系の一部を断接切替することで施錠状態と解錠状態を切替えるための作動部と、この作動部の近傍に配置されるとともに隣接する引出の鏡板間に亘って構成されて各作動部の動きを連動させる連動機構と、何れかの引出の鏡板に設けられて当該鏡板に存する作動部若しくは連動機構の一部に施錠状態と解錠状態とを切り替えるための動作を与える入力部とを具備してなることを特徴とする引出の施解錠装置。
【請求項２】
把手と回転軸との間にクラッチを備え、クラッチがオンのときに把手と回転軸とを接続して把手の操作力を回転軸に伝え、クラッチがオフのときに把手と回転軸とを遮断するように構成した上で、作動部をそのクラッチによってオンオフを切替可能にするように係り合わせている請求項１記載の引出の施解錠装置。
【請求項３】
把手が鏡板の幅方向ほぼ中央付近における前面に配置され、入力部も前記把手の近傍における鏡板の前面に配置される請求項１又は２記載の引出の施解錠装置。
【請求項４】
連動機構は、各引出の鏡板に連動杆を、解錠状態において当該引出の出し入れ動作を妨げないように分断して配置し、解錠状態から施錠状態に移行する際には各連動杆が全体として１本の杆の如く作動しつつ各鏡板内に存する作動部が施錠状態に切り替わり、入力部からの入力により施錠状態から解錠状態に移行する際には各連動杆が全体として１本の杆の如く作動しつつ各鏡板内に存する作動部が解錠状態に切り替わるように構成されている請求項１〜３のいずれかに記載の施解錠装置。
【請求項５】
各引出の鏡板に存する連動杆がほぼ同軸上に配置されている請求項４記載の施解錠装置。
【請求項６】
引出本体に対して、少なくとも把手、回転軸、作動部および連動機構の構成要素が鏡板側に組み込まれてユニット化されている請求項１又は２記載の施解錠装置。
【請求項７】
入力部が、作動部を直接又は間接に駆動し又はその駆動のタイミングを与えるダイヤル錠を具備し、作動部はダイヤル錠の非照合時に施錠状態にオフセットされる請求項１〜６のいずれかに記載の施解錠装置。
【請求項８】
入力部が、作動部を直接又は間接に駆動し又はその駆動のタイミングを与える電動式のアクチュエータを具備し、作動部はアクチュエータの非作動時に施錠状態にオフセットされる請求項１〜６のいずれかに記載の施解錠装置。
【請求項９】
請求項１〜８のいずれかに記載の施解錠装置を利用して、筐体に複数段に亘って配置した引出の一括施錠または一括解錠を行い得るように構成していることを特徴とする収納装置。
【発明の詳細な説明】
【技術分野】
【０００１】
本発明は、簡易に構成できて他の仕様のものとの間で部品の共用化等も有効に図れるようにした引出の施解錠装置及びこれを利用した収納装置に関するものである。
【背景技術】
【０００２】
この種の施解錠装置として、例えば特許文献１等に示すものが知られている。このものは、複数段に配置される引出を一括施解錠するために、筐体の側板に連動機構を設けるとともに、筐体の頂板に前記連動機構にリンクされたシリンダ錠などの操作部を設け、この入力部に操作力を入力することにより連動機構を作動させて、各引出を一斉に施錠位置に保持し、又はその施錠状態を解除するようにしている。
【特許文献１】実公平８−２３５８号公報
【発明の開示】
【発明が解決しようとする課題】
【０００３】
しかし、このような構造の場合、一括施解錠を採用するために筐体側に大掛かりな構成が必要となる上に、操作部や連動機構の組込位置も限定されるので、複雑で作り込みが難しい上に、一括施錠を採用しない収納装置との間で仕様の共通化を図ることも容易ではなく、事後的な一括施錠機能の追加も困難なものとなっている。
【０００４】
本発明は、このような実情に鑑みてなされたものであって、引出側のみにて一括施錠機構を構成することを可能にして、叙述した不具合を好適に解消することを目的としている。
【課題を解決するための手段】
【０００５】
本発明は、かかる目的を達成するために、次のような手段を講じたものである。
【０００６】
すなわち、本発明の施解錠装置は、把手に入力される操作力を回転軸を含む伝達系を介してラッチに伝えることで当該ラッチを解除可能とするラッチ機構がそれぞれ設けられるとともに複数段に配置される引出に対して適用されるものであって、各引出の鏡板に設けられて鏡板に存する把手又は回転軸を直接若しくは間接に拘束し或いは鏡板に存する伝達系の一部を断接切替することで施錠状態と解錠状態を切替えるための作動部と、この作動部の近傍に配置されるとともに隣接する引出の鏡板間に亘って構成されて各作動部の動きを連動させる連動機構と、何れかの引出の鏡板に設けられて当該鏡板に存する作動部若しくは連動機構の一部に施錠状態と解錠状態とを切り替えるための動作を与える入力部とを具備してなることを特徴とする。
このようにすれば、鏡板内に作動部が存し、入力部から入力される動作が同じく鏡板内に設けた連動機構を介して各作動部に伝えられるので、基本的に収納装置等の筐体側に手を加えずとも引出の鏡板側のみにて施解錠装置を構成することができる。しかも、連動機構は鏡板の隣接方向に作動しさえすればよいので、その位置が鏡板の巾方向に限定されることがなく、配置の自由度も高いものとなる。この場合、入力部は積極的な駆動力を与えるものでもよいし、バネ等による駆動力を利用し、これをあるタイミングで解除するものであってもよい。
【０００７】
さらに、引出がラッチ機構を有し、このラッチ機構が、把手に入力される操作力を回転軸を含む伝達系を介してラッチに伝え、当該ラッチを解除可能とするものであるために、作動部は鏡板に存する把手又は回転軸を直接若しくは間接に拘束し或いは鏡板に存する伝達系の一部を断接切替するように構成され、その作動部の近傍に配置した連動機構によって各作動部を連動させることで、ラッチ機構を有効利用した施解錠装置として簡単に構成することができる。
【０００８】
この場合の具体的な実施の態様としては、把手と回転軸との間にクラッチを備え、クラッチがオンのときに把手と回転軸とを接続して把手の操作力を回転軸に伝え、クラッチがオフのときに把手と回転軸とを遮断するように構成した上で、作動部をそのクラッチによってオンオフを切替可能にするように係り合わせていることが好ましい。
【０００９】
使い勝手の良好なものとしては、把手が鏡板の幅方向ほぼ中央付近における前面に配置され、入力部も前記把手の近傍における鏡板の前面に配置されているものが挙げられる。
【００１０】
複数の引出に亘って施解錠を有効に作動させるための連動機構の構成としては、各引出の鏡板に連動杆を、解錠状態において当該引出の出し入れ動作を妨げないように分断して配置し、解錠状態から施錠状態に移行する際には各連動杆が全体として１本の杆の如く作動しつつ各鏡板内に存する作動部が施錠状態に切り替わり、入力部からの入力により施錠状態から解錠状態に移行する際には各連動杆が全体として１本の杆の如く作動しつつ各鏡板内に存する作動部が解錠状態に切り替わるように構成されていることが望ましい。
【００１１】
連動杆に的確な動作を得るためには、各引出の鏡板に存する連動杆がほぼ同軸上に配置されていることが好ましい。
【００１２】
施解錠装置がない引出との間で引出本体の共用化や仕様変更を容易とするためには、引出本体に対して、少なくとも把手、回転軸、作動部および連動機構の構成要素が鏡板側に組み込まれてユニット化されていることが有効である。
【００１３】
入力部の具体的な実施の態様としては、作動部を直接又は間接に駆動し又はその駆動のタイミングを与えるダイヤル錠を具備し、作動部がダイヤル錠の非照合時に施錠状態にオフセットされるように構成されたものが挙げられる。
入力部の具体的な他の実施の態様としては、作動部を直接又は間接に駆動し又はその駆動のタイミングを与える電動式のアクチュエータを具備し、作動部はアクチュエータの非作動時に施錠状態にオフセットされるように構成されたものが挙げられる。
【００１４】
本発明の施解錠装置は、以上のような構成であるから、これを利用して筐体に複数段に亘って配置した引出の一括施錠または一括解錠を行い得るように収納装置を構成することが極めて有用なものとなり得る。
【発明の効果】
【００１５】
本発明は、以上説明したように、引出の鏡板側に作動部、連動機構及び入力部を配置するだけで、複数の引出に対する一括した施解錠が行えるようにしたので、収納装置等の筐体側に手を加えることが基本的に不要であり、簡素な構成で施解錠機能を有効に実現することができる。そして、これによれば、引出本体の共用化や、筐体側の共用化を通じて、施解錠機能を備えない収納装置等との間で部品の共用化を図り、相互に仕様変更することなども容易に可能となり、全体として製作工数の削減やコストダウンにも有効に資するものとなる。
【発明を実施するための最良の形態】
【００１６】
以下、本発明の一実施形態を、図面を参照して説明する。
【００１７】
図１は、この実施形態の施解錠装置１を適用した収納装置２を示している。この収納装置２は、筐体２１内に複数段に亘って引出２２を配置し、各引出２２にラッチ機構３を組み込んで引出２２を筐体２１に係留可能かつ引出２２の鏡板２２ａに設けた把手３１によって当該ラッチを解除可能にしており、そのラッチ機構３を利用しつつ各引出２２の鏡板２２ａ内において、引出２２の一括施錠または一括解錠を行う施解錠装置１を構成している。
【００１８】
引出２２は、図２に示すように、引出本体２２ｂの前面側に鏡板２２ａを一体的に取り付けたものである。図２は鏡板２２ａを構成する前面側の化粧板を取り外した状態を示しており、鏡板２２ａを構成する背面板２２ａ１に各種要素部品が取り付けてある。
【００１９】
ラッチ機構３は、図２及び図３（ａ）に示すように、鏡板２２ａと引出本体２２ｂとの境界部分に設けた樹脂部材３２より側方に向けて弾性的にラッチ爪３３を突出させており、このラッチ爪３３を、図３（ａ）に示すように収納装置２を構成する筐体２１の側板２１ａの内面に設けた凹所２１ｂに引出２２を押し込んだ際に係り合わせるようにしたもので、把手３１に操作力が入力されると、回転軸３４を含む伝達系Ａを介してラッチ３３を没入方向に作動させるようにしている。
【００２０】
伝達系Ａは、図２及び図３（ａ）に示すように、回転軸３４と、この回転軸３４の端部付近に配置された逆Ｌ字状の中間体３５と、回転軸３４の水平軸回りの回転を中間体３５の鉛直軸回りの回転に変換するアーム３６と、中間体３５の鉛直軸回りの正逆回転をラッチ３３の鉛直軸回りの一方向の動作に変換する変換部３７とを備え、把手３１を上下何れの方向に操作してもラッチ３３を没入方向に作動させ得るようにしている。図３（ｂ）は変換部３７の原理を例示したものであり、中間体３５の回転によって天秤部材３７ａが何れの方向に回転しても、Ｌ字形の揺動体３７ｂが同一方向に回転して、この揺動体３７ｂの先端に係り合うラッチ３３を没入方向に回転させるようになっている。図示の場合、揺動体３７ｂはバネ等の弾性体３７ｃによってラッチ３３を突出させる方向に押し付けられている。
【００２１】
一方、本実施形態の施解錠装置１は、図２及び図４等に示す各引出２２の鏡板２２ａ内において、把手３１と回転軸３４との間にクラッチ１１を介在させ、このクラッチ１１に作動部１２を係り合わせた上で、各引出２２の上下に隣接する鏡板２２ａ間に亘って各作動部１２の動きを連動させる連動機構Ｂを構成するとともに、最上段の引出２２の鏡板２２ａに存する作動部１２若しくは連動機構Ｂの一部に施錠状態から解錠状態への切り替え動作を与えるべく、当該引出２２の把手３１の近傍に入力部たるダイヤル錠１３を設けている。
【００２２】
把手３１は、図５（ａ）、（ｂ）に示すように回転軸３４に回転自在に遊嵌され、クラッチ１１は把手３１の隣接位置において回転軸３４に一体回転可能かつ軸方向にスライド可能に配されたもので、回転軸３４の軸心から変位した位置においてクラッチ１１の一部に設けた関連部１１ａが把手３１の一部に設けた被関連部３１ａに係り合った図５（ｃ）の状態（クラッチオンの状態）で把手３１の回転をクラッチ１１を介して回転軸３４に伝えるとともに、その係り合いが解除された図５（ａ）の状態（クラッチオフの状態）で把手３１の回転を回転軸３４に伝えずに空転自在とするものである。
【００２３】
連動機構Ｂは、図１、図２及び図４に示すように各引出２２の鏡板２２ａに連動杆１４を昇降可能に配置したもので、連結杆１４は板状本体１４ａを主体として構成されていて、図４及び図６（ａ）に示す引出２２の上下の隣接境界部分Ｐにおいては、上側の引出２２に存する連動杆１４の下端を構成するピストン１４ｂが昇降可能とされ、下側の引出２２に存する連動杆１４の上端を構成するピストン受部１４ｃも昇降可能とされて、図４及び図６（ａ）に示す解錠状態においては上側の連結杆１４に付帯するピストン１４ｂと下側の連結杆１４に付帯するピストン受部１４ｃの間がほぼ同軸上にあって隣接境界部分Ｐで分断して収納位置からの引出２２の引出し動作を妨げないようになっている。そして、図７及び図６（ｂ）に示すように上側の連動杆１４が押し下げられると、ピストン１４ｂが下側の引出２２の鏡板２２ａに進入することにより、当該鏡板２２ａ内に存するピストン受部１４ｃに突き当たって連動杆１４を下方に押し下げるようにしている。
【００２４】
作動部１２は、図２及び図４に示すように鏡板２２ａの背面板２２ａ１に水平軸ｍ回りに取り付けた板状のもので、水平軸ｍから変位した一部を連動杆１４の板状本体１４ａの一部に連結軸ｎを介して接続し、また、水平軸ｍから他の方向へ変位した先端部１２ａを図４及び図５に示すようにクラッチ１１の一部に設けた係り合い部１１ｂに常時係り合わせている。そして、作動部１２が正面視右回りに回転した図７の施錠位置で図５（ａ）に示すようにクラッチ１１をオフにし、正面視左回りに回転した図４の解錠位置で図５（ｃ）に示すようにクラッチ１１をオンにするようにしている。このとき、図７に示すように作動部１２の施錠位置と連動杆１４の降下位置とを対応させ、図４に示すように作動部１２の解錠位置と連動杆１４の上昇位置（初期位置）とを対応させている。この実施形態の場合、各作動部１２はバネ等の弾性体１５によって図４の解錠位置に向かって弾性付勢されている。したがって、作動杆１４も上方に向かって弾性付勢された状態にある。
【００２５】
ダイヤル錠１３は、基本的な機構自体は一般的なものであるため内部機構は省略するが、図４に示すようにケーシング１３ａから側方に回動可能にレバー１３ｂが突出していて、このレバー１３ｂの先端が作動部１２及び連動杆１４との連結軸ｎに接続してあり、図７に示す非照合時にレバー１３ｂに下方回動位置で保持力が働き、図４に示す照合時にはその保持力が解除されるように構成している。すなわち、図７に示すダイヤル錠１３の非照合時には、弾性体１５に抗して作動部１２が連動杆１４の降下とともに施錠位置に保持されるので、全ての引出２２において把手３１と回転軸３４とが解離して、何れの把手３１を操作しても空転するだけの一括施錠状態をとる。一方、照合時にレバー１３ｂの保持力が解除されると、前述したように作動部１２は解錠位置に向かって弾性体１５により弾性付勢されており、作動杆１４も動ける状態になるので、これがトリガーとなって作動部１２が図７→図４のように解錠位置に移動して全ての引出２２において把手３１と回転軸３４とがクラッチ１１により接続されて、何れの把手３１を操作しても当該引出２２のラッチ解除が可能な一括解錠状態となる。
【００２６】
なお、この実施形態では、ダイヤル錠１３を照合して何れかの引出２２を引き出した際に、その引出動作を利用してダイヤル錠１３がゼロリセットされ、系は図４→図７の状態をとるようにしている。この実施形態では、図４及び図６に示すようにピストン１４ａが連結杆１４の板状本体１４ａにバネ１４ｄを介して取り付けられており、先端がテーパ状をなしているが、これは引出２２を一旦引き出した際に図７及び図６（ｂ）のようにピストン１４ｂが引出２２の鏡板２２ａの下端から突出しても、経過的にピストン１４ｂを上昇させて引出２２を収納位置に押し込む動作を保障するものである。つまり、引出２２を押し込むときはクラッチ１１がオフの状態にあるため、ラッチ３３が一時的に没入しながら引出２２は収納位置に係留される。このとき、系は一括施錠状態に戻る。
【００２７】
以上のように、本実施形態の施解錠装置１は、把手３１に入力される操作力を回転軸３４を含む伝達系Ａを介してラッチ３３に伝えることで当該ラッチ３３を解除可能とするラッチ機構３がそれぞれ設けられるとともに複数段に配置される引出２２に対して適用されるものであり、各引出２２の鏡板２２ａに設けられて鏡板２２ａに存する把手３１から回転軸３４への伝達系Ａの一部を断接切替することで施錠状態と解錠状態を切替えるための作動部１２と、この作動部１２の近傍に配置されるとともに相隣接する引出２２、２２の鏡板２２ａ、２２ａ間に亘って構成されて各作動部１２の動きを連動させる連動機構Ｂと、本実施形態では最上段の引出２２の鏡板２２ａに設けられて当該鏡板２２ａに存する作動部１２若しくは連動機構Ｂの一部に施錠状態と解錠状態とを切り替えるための動作を与える入力部たるダイヤル錠１３とを具備するようにしたものである。
【００２８】
このように、鏡板２２ａ内に作動部１２が存し、ダイヤル錠１３から入力される動作が同じく鏡板２２ａ内に設けた連動機構Ｂを介して各作動部１２に伝えられるので、基本的に筐体２１側に手を加えずとも鏡板２２ａ側のみにて施解錠装置１を構成することができる。しかも、連動機構Ｂは鏡板２２ａの隣接方向（上下方向）に作動しさえすればよいので、その位置が鏡板２２ａの巾方向に限定されることがなく、配置の自由度も高いものとなる。
【００２９】
特に、この実施形態の引出２２はラッチ機構３を備え、このラッチ機構３は、把手３１に入力される操作力を回転軸３４を含む伝達系Ａを介してラッチ３３に伝え、当該ラッチ３３を解除可能としたものであり、作動部１２は鏡板２２ａに存する把手３１から回転軸３４への伝達系Ａの一部を断接切替するように構成され、その作動部１２の近傍に配置した連動機構Ｂによって各作動部１２を連動させるようにしている。これは、上述したように連動機構Ｂの位置が鏡板２２ａの巾方向に限定されないことから組み込みが実現可能となる効果であり、作動部１２及び連動機構Ｂを適宜部位に適切に配置することを可能ならしめている。そして、既存のラッチ機構３の一部を利用していることで、施解錠装置１を簡単に構成することができる。
【００３０】
また、ラッチ機構３の具体的な利用の態様として、把手３１と回転軸３４との間にクラッチ１１を備え、クラッチ１１がオンのときに把手３１と回転軸３４とを接続して把手３１の操作力を回転軸３４に伝え、クラッチ１１がオフのときに把手３１と回転軸３４とを遮断するように構成した上で、作動部１２をそのクラッチ１１によってオンオフを切替可能にするように係り合わせている。このため、把手３１の近くにクラッチ１１及び作動部１２を配置して連動機構Ｂで連動させるという効率の良い構成が採用可能となる。そして、このようなクラッチ式にすれば、施錠時には把手３１が空転するだけなので、把手３１に無理な力が加えられてラッチ３３が破損するという不具合も有効に解消することができる。
【００３１】
そして、把手３１を鏡板２２ａの幅方向ほぼ中央付近における前面に配置し、入力部たるダイヤル錠１３も前記把手３１の近傍における鏡板２２ａの前面に配置しており、これらダイヤル錠１３及び把手３１がともに鏡板２２ａの前面に近接して位置するので、施解錠装置１の操作や把手３１の操作を一連の操作の下に有効に行うことができるようになる。
【００３２】
また、連動機構Ｂは、各引出２２の鏡板２２ａに連動杆１４を、解錠状態において当該引出２２の出し入れ動作を妨げないように分断して配置し、解錠状態から施錠状態に移行する際には各連動杆１４が全体として１本の杆の如く作動しつつ各鏡板２２ａ内に存する作動部１２が施錠状態に切り替わり、入力部たるダイヤル錠１３からの入力により施錠状態から解錠状態に移行する際には各連動杆１４が全体として１本の杆の如く作動しつつ各鏡板２２ａ内に存する作動部１２が解錠状態に切り替わるように構成されている。このように、個々の引出２２の鏡板２２ａに連動杆１４を分断して配置しても、引出２２の適切な出し入れ動作を確保した上でそれら全体を有効に連動させることができる。
【００３３】
この場合、各引出２２の鏡板２２ａに存する連動杆１４がほぼ同軸上に配置されているので、互いに分断された連動杆１４の動作をロスなく伝えることができ、軽快な作動を得ることができる。
【００３４】
そして、少なくとも把手３１、回転軸３４、作動部１２および連動機構Ｂの構成要素が鏡板２２ａ側に組み込まれてユニット化されているので、引出本体２２ｂに対して、鏡板２２ａを取り替えるだけで本発明の施解錠装置１を構成することができる。このため、施解錠装置１のない引出２２との間で引出本体２２ｂの共用化も容易に図ることができる。筐体２１側の共用化が図れることは言うまでもない。
【００３５】
更に、本実施形態の入力部に、照合位置で作動部１２に解錠状態に向かう駆動のタイミングを与えるダイヤル錠１３を採用しており、作動部１２はダイヤル錠１３の非照合時に施錠状態にオフセットされ、ダイヤル錠１３は作動部１２及び連動杆１４の保持力を解除するトリガーを与えるだけであるので、ダイヤル錠１３自体に負荷を掛けずに施錠状態から一括解錠状態への切替を有効に実現することができる。この場合、ゼロリセット後に一括解錠状態から施錠状態に移行するには、引出２２が引き出される動作や押し込まれる動作を利用するなど、適宜の手段を採用すればよい。
【００３６】
本実施形態の収納装置は、以上のような施解錠装置１を利用して、筐体に複数段に亘って配置した引出２２の一括施錠または一括解錠を行うように構成されるので、基本的には鏡板２２ａ側の違いだけで一括施解錠機能を備えない収納装置との間で筐体２１や引出本体２２ｂの共用化が図れるのは勿論のこと、既存の収納装置に事後的に一括施解錠機能を付与することなども容易に可能とする利用価値の高いものとなり得る。
【００３７】
なお、各部の具体的な構成は、上述した実施形態のみに限定されるものではなく、本発明の趣旨を逸脱しない範囲で種々変形が可能である。
【００３８】
例えば、上記実施形態におけるレバー１３ｂは、所定の暗証番号がセットされた照合位置でレバー１３ｂから図７→図４のように上方への回動のトリガーを与えて作動部１２を解錠位置に向かって移動させ、非照合時にはその付勢力を保持するように構成されていたが、レバー１３ｂによって積極的に作動部１２を解錠位置に付勢するように構成してもよい。
【００３９】
また、ラッチ機構３の利用の態様としては、作動部１２を、鏡板２２ａに存する把手３１又は回転軸３４を直接若しくは間接に拘束するように係り合わせる態様で用いることも可能である。
【００４０】
さらに、上記実施形態において作動部１２及びクラッチ１１を本発明の作動部として捉えてもよいし、連動機構Ｂを構成する連動杆１４によりクラッチ１１を直接駆動して把手３１と回転軸３４の断接切替を行うようにしてもよい。後者の場合、クラッチ１１が本発明の作動体としての役割を担うことになる。
【００４１】
また、入力部は、図８に示すように作動部１２を直接又は間接に駆動するための電動式のアクチュエータ１３０を具備し、作動部１２がアクチュエータ１３０の非作動時に施錠状態にオフセットされるように構成してもよい。この場合にも、アクチュエータ１３０は作動部１２及び連動杆１４を動かすか又は保持力を解除するだけであるから、駆動力は僅かなもので足りる。しかも、非作動時には作動部１２はオフセットされるため、省エネに有効となる。特に駆動源に電池１３１を用いた場合には電池１３１の寿命を延命し、配線も含めて施解錠装置１を鏡板２２ａ内で完結できる利点がある。勿論、入力部はこれ以外の方式によることもできる。
【００４２】
さらにまた、上記実施形態において、同時に２つの引出を引き出すことを禁止する周知のセーフティロック機構を併用することも収納装置としては有効である。このセーフティロック機構が筐体側に要素部品を組み込むものである場合にも、本発明の施解錠装置が基本的に鏡板側にて構成できることで、筐体側の構造が著しく複雑になることを有効に回避することが可能である。
【図面の簡単な説明】
【００４３】
【図１】本発明の一実施形態を適用した収納装置の斜視図。
【図２】同部分分解斜視図。
【図３】同実施形態のラッチ機構の一部を示す拡大平断面図。
【図４】同実施形態の鏡板内を示す部分拡大正面図。
【図５】同実施形態のクラッチ部分を示す部分拡大平断面図。
【図６】図４及び図７の部分断面図。
【図７】同実施形態の作用を示す図４に対応した図。
【図８】本発明の変形例を示す図。
【符号の説明】
【００４４】
１…施解錠装置
２…収納装置
３…ラッチ機構
１１…クラッチ
１２…作動部
１３…入力部（ダイヤル錠）
１４…連動杆
２２…引出
２２ａ…鏡板
３１…把手
３３…ラッチ
３４…回転軸
１３０…入力部（アクチュエータ）
Ａ…伝達系
Ｂ…連動機構
【図１】
0005177365.tif 000002
【図２】
0005177365.tif 000003
【図３】
0005177365.tif 000004
【図４】
0005177365.tif 000005
【図５】
0005177365.tif 000006
【図６】
0005177365.tif 000007
【図７】
0005177365.tif 000008
【図８】
0005177365.tif 000009